(57)【特許請求の範囲】
【請求項１】
印刷装置により媒体に印刷する画像の印刷結果を印刷が行われる前に事前表示画像として表示する表示部に表示される前記事前表示画像を制御する制御部を備え、
前記制御部は、前記印刷装置が前記媒体の被印刷領域に前記画像を余白無しで印刷する際における前記事前表示画像を、
前記画像が印刷される前記被印刷領域に対応するように設定する第１領域と、
前記第１領域の外側であって、前記被印刷領域に対応しないが、前記媒体のサイズ又は搬送時における前記媒体の位置によっては前記画像が印刷されることのある第２領域と、
前記第２領域の外側であって、前記被印刷領域に対応せず、前記画像の印刷動作が行われない第３領域とに分けて、それぞれ異なる表示形式で前記表示部に表示させる画像表示制御装置。
【請求項２】
前記印刷装置により印刷動作が行われない前記第３領域は、前記印刷装置により印刷動作が行われる前記第１領域及び前記第２領域よりも、透明度が高い表示形式で表示される請求項１に記載の画像表示制御装置。
【請求項３】
前記第２領域は、前記第１領域よりも、透明度が高い表示形式で表示される請求項１又は請求項２に記載の画像表示制御装置。
【請求項４】
印刷装置により媒体に印刷する画像の印刷結果を印刷が行われる前に事前表示画像として表示する印刷結果事前表示方法であって、
前記印刷装置が前記媒体の被印刷領域に前記画像を余白無しで印刷する際における前記事前表示画像を、
前記画像が印刷される前記被印刷領域に対応するように設定する第１領域と、
前記第１領域の外側であって、前記被印刷領域に対応しないが、前記媒体のサイズ又は搬送時における前記媒体の位置によっては前記画像が印刷されることのある第２領域と、
前記第２領域の外側であって、前記被印刷領域に対応せず、前記画像の印刷動作が行われない第３領域とに分けて、それぞれ異なる表示形式で表示する印刷結果事前表示方法。
【請求項５】
印刷装置により媒体に印刷する画像の印刷結果を印刷が行われる前に事前表示画像として表示する表示部に表示される前記事前表示画像を制御する制御部を備える画像表示制御装置における前記制御部に実行させる印刷結果事前表示プログラムであって、
前記印刷装置が前記媒体の被印刷領域に前記画像を余白無しで印刷する際における前記事前表示画像を、前記画像が印刷される前記被印刷領域に対応するように設定する第１領域と、前記第１領域の外側であって、前記被印刷領域に対応しないが、前記媒体のサイズ又は搬送時における前記媒体の位置によっては前記画像が印刷されることのある第２領域と、前記第２領域の外側であって、前記被印刷領域に対応せず、前記画像の印刷動作が行われない第３領域とに分けて、それぞれ異なる表示形式で表示させる表示処理ステップを前記制御部に実行させる印刷結果事前表示プログラム。
【発明の詳細な説明】
【技術分野】
【０００１】
本発明は、例えばプリンターなどの印刷装置における印刷結果を事前表示する画像表示制御装置、印刷結果事前表示方法及び印刷結果事前表示プログラムに関する。
【背景技術】
【０００２】
従来から、例えばプリンターなどの印刷装置を用いて写真及び文字などの画像を媒体に印刷する際に、その印刷設定画面において印刷結果のプレビュー画像（事前表示画像）を表示することがある。また、最近では媒体に余白がない状態で画像を印刷するフチなし印刷の需要が増大しており、こうしたフチなし印刷時には、プレビュー画像の大きさが媒体のフチから画像のフチをはみ出させるように拡大される。そして、そのように拡大されたプレビュー画像を、印刷設定画面内での画像領域のうち媒体上に位置する第一領域と媒体からはみ出た第二領域とで、それぞれの表示形式を変えて表示することで、フチなし印刷での印刷結果を印刷前に確認できるようにしていた（例えば、特許文献１）。
【先行技術文献】
【特許文献】
【０００３】
【特許文献１】国際公開第２００４／１０２３７３号
【発明の概要】
【発明が解決しようとする課題】
【０００４】
ところで、印刷に用いられる媒体は、製造公差等に起因して、媒体のサイズや搬送時における搬送位置、搬送姿勢などに、ばらつきを有することがある。そのため、フチなし印刷では、プレビュー画像内のフチ近辺に存在する画像要素のうちで印刷したくない画像要素が、プレビュー画像では媒体からはみ出た第二領域に位置していたとしても、実際に印刷したときには、媒体上に印刷されてしまうことがあり得た。すなわち、従来の印刷結果事前表示方法では、フチなし印刷における印刷結果を的確に把握することが難しかった。
【０００５】
本発明は、上記実情に鑑みてなされたものであり、その目的は、媒体に余白がない状態で画像を印刷するフチなし印刷での印刷結果を印刷前における事前表示画像で的確に把握することができる画像表示制御装置、印刷結果事前表示方法及び印刷結果事前表示プログラムを提供することにある。
【課題を解決するための手段】
【０００６】
以下、上記課題を解決するための手段及びその作用効果について記載する。
上記課題を解決する画像表示制御装置は、印刷装置により媒体に印刷する画像の印刷結果を印刷が行われる前に事前表示画像として表示する表示部に表示される前記事前表示画像を制御する制御部を備え、前記制御部は、前記印刷装置が前記媒体の被印刷領域に前記画像を余白無しで印刷する際における前記事前表示画像を、前記被印刷領域に対応するように設定する第１領域と、前記第１領域の外側であって、前記印刷装置により前記画像の印刷動作が行われる第２領域と、前記第２領域の外側であって、前記画像の印刷動作が行われない第３領域とに分けて、前記表示部に表示させる。
【０００７】
この構成によれば、事前表示画像において媒体の被印刷領域に対応するように設定する第１領域の外側に位置する領域を、印刷動作が行われる第２領域と印刷動作が行われない第３領域とに分けて表示しているため、事前表示画像の画像領域のうちどの領域まで印刷動作が行われ、どの領域から印刷動作が行われないのかを知ることができる。したがって、媒体に余白がない状態で画像を印刷するフチなし印刷での印刷結果を印刷前における事前表示画像で的確に把握することができる。
【０００８】
上記画像表示制御装置において、前記事前表示画像は、前記第１領域と前記第２領域と前記第３領域とをそれぞれ異なる表示形式で表示されることが好ましい。
この構成によれば、事前表示画像において第１領域と第２領域と第３領域とを見やすく区別して表示することができる。
【０００９】
上記画像表示制御装置において、前記事前表示画像は、前記印刷装置により印刷動作が行われない前記第３領域の方が前記印刷装置により印刷動作が行われる前記第１領域及び前記第２領域よりも、透明度が高い表示形式で表示されることが好ましい。
【００１０】
この構成によれば、事前表示画像において、第３領域の方が第１領域及び第２領域よりも透明度が高く表示され、視覚的に見えづらくなっているため、印刷装置により印刷動作が行われない領域よりも行われる領域を見やすく表示することができる。
【００１１】
上記課題を解決する印刷結果事前表示方法は、印刷装置により媒体に印刷する画像の印刷結果を印刷が行われる前に事前表示画像として表示する印刷結果事前表示方法であって、前記印刷装置が前記媒体の被印刷領域に前記画像を余白無しで印刷する際における前記事前表示画像を、前記被印刷領域に対応するように設定する第１領域と、前記第１領域の外側であって、前記印刷装置により前記画像の印刷動作が行われる第２領域と、前記第２領域の外側であって、前記画像の印刷動作が行われない第３領域とに分けて表示する。
【００１２】
この構成によれば、上述した画像表示制御装置と同様の作用効果を奏することができる。
上記課題を解決する印刷結果事前表示プログラムは、印刷装置により媒体に印刷する画像の印刷結果を印刷が行われる前に事前表示画像として表示する表示部に表示される前記事前表示画像を制御する制御部を備える画像表示制御装置における前記制御部に実行させる印刷結果事前表示プログラムであって、前記印刷装置が前記媒体の被印刷領域に前記画像を余白無しで印刷する際における前記事前表示画像を、前記被印刷領域に対応するように設定する第１領域と、前記第１領域の外側であって、前記印刷装置により前記画像の印刷動作が行われる第２領域と、前記第２領域の外側であって、前記画像の印刷動作が行われない第３領域とに分けて表示させる表示処理ステップを前記制御部に実行させる。
【００１３】
この構成によれば、上述した画像表示制御装置と同様の作用効果を奏することができる。
【図面の簡単な説明】
【００１４】
【図１】画像表示制御装置の電気的構成を示すブロック図。
【図２】印刷設定画面を示す模式図。
【図３】図２の状態から画像一覧ウインドウを非表示にし、レイアウト設定カラムを開いたときの印刷設定画面を示す模式図。
【図４】フチなし印刷を設定したときの印刷設定画面を示す模式図。
【図５】図５における事前表示画像の一部を拡大した模式図。
【図６】フチなし印刷を設定した際に行われる事前表示画像の編集処理の流れを示す模式図であって、（ａ）はフチなし印刷が設定される前の図、（ｂ）はフチなし印刷に設定され第１拡大段階により画像が拡大されたことを示す図、（ｃ）がフチなし印刷に設定され第２拡大段階により画像が拡大されたことを示す図。
【発明を実施するための形態】
【００１５】
以下、印刷結果の事前表示画像を制御する画像表示制御装置及び同装置で印刷結果事前表示プログラムに基づき実行される印刷結果事前表示方法について図１〜図６に従って説明する。
【００１６】
図１に示すように、画像表示制御装置１１は、制御部として機能するＰＣ２０を備え、そのＰＣ２０には例えばプリンターなどに代表される印刷装置１２が通信可能に接続されている。また、画像表示制御装置１１は、ＰＣ２０と通信可能にそれぞれ接続された表示部１３と操作部１４と入力部１５とを備えている。なお、ＰＣ２０は、ＣＰＵ２１とＲＡＭ２２とＲＯＭ２３と記憶部２４とを有している。
【００１７】
印刷装置１２は、印刷制御装置としても機能するＰＣ２０により制御され、ＰＣ２０から送信される画像データと印刷設定のデータとに基づいて媒体の一例である用紙に画像を印刷する。
【００１８】
表示部１３は、例えばディスプレイやモニターなどで構成され、ＰＣ２０の制御に基づいて印刷装置１２が用紙に印刷する印刷結果の事前表示画像１００を印刷設定画面３０（図２参照）に表示する。
【００１９】
操作部１４は、例えばマウスやキーボードなどから構成され、表示部１３に印刷設定画面３０を表示させる際や、また印刷設定画面３０上に表示される事前表示画像１００の編集処理をＰＣ２０に指示する際などの操作情報の入力に用いられる。入力部１５は、例えば所定のサーバー、外部のネットワーク及び読み取り可能な記憶媒体の少なくとも１つと通信可能に接続され、ＰＣ２０の外部から各種データをＰＣ２０に対して入力できるように設けられている。
【００２０】
ＰＣ２０が有するＣＰＵ２１は、ＲＯＭ２３及び記憶部２４に記憶される各種のプログラムに基づいて印刷装置１２及び画像表示制御装置１１を制御する。ＲＡＭ２２は各種のプログラムやデータを一時的に保存するメモリであり、ＲＯＭ２３はＣＰＵ２１によって実行される各種のプログラムを記憶しているメモリである。
【００２１】
記憶部２４はＣＰＵ２１によって実行される印刷結果事前表示プログラムを含む各種プログラム及び印刷装置１２によって用紙に印刷される画像データを記憶している。なお、印刷結果事前表示プログラムを含む各種プログラムや画像データは入力部１５を介して外部から入力される構成であってもよい。
【００２２】
次に、画像表示制御装置１１において印刷結果事前表示プログラムの実行に基づき行われる印刷結果事前表示方法について説明する。
図２に示すように、記憶部２４に記憶されている印刷結果事前表示プログラムがＣＰＵ２１によって実行されると、表示部１３に印刷設定画面３０が表示される。このとき、同様に表示部１３に表示されるカーソル（図示略）を操作部１４により操作することで、印刷設定画面３０上にて、用紙に印刷する画像の印刷結果のイメージ画像である事前表示画像１００を編集することが可能となる。なお、印刷設定画面３０上に表示される事前表示画像１００には、印刷結果事前表示プログラムが実行される前にユーザーがあらかじめ選択した画像データが反映される。
【００２３】
印刷設定画面３０上には、レイアウトウインドウ４０と画像一覧ウインドウ５０と設定ウインドウ６０とが表示されている。また、印刷設定画面３０の上部にはツールバー７０が表示されている。さらに、印刷設定画面３０の右下には印刷ボタン８０が表示されている。
【００２４】
レイアウトウインドウ４０は、印刷設定画面３０において中央から左側に亘って表示されている。レイアウトウインドウ４０上には事前表示画像１００が表示されており、事前表示画像１００は媒体である用紙を示す用紙イメージ４１と、印刷対象である画像を示す画像イメージ４２とで構成されている。起動直後の印刷設定画面３０においては、画像イメージ４２は用紙イメージ４１上の領域となる被印刷領域４１１内に収まるよう画像イメージ４２の縦横比を保ったままリサイズされて表示されている。なお、本実施形態における画像イメージ４２の縦横比は、用紙イメージ４１の縦横比と異なる。印刷時は、用紙イメージ４１に重なる部分の画像が、つまり、被印刷領域４１１内に収まる画像が、用紙に対して印刷されることになる。
【００２５】
また、レイアウトウインドウ４０の下部には、拡大スライドバー４４とページ情報４５とページ戻りボタン４６とページ送りボタン４７とが表示されている。すなわち、拡大スライドバー４４はレイアウトウインドウ４０における左下の領域に表示され、ページ情報４５とページ戻りボタン４６とページ送りボタン４７はレイアウトウインドウ４０における右下の領域に表示されている。拡大スライドバー４４を操作すると、レイアウトウインドウ４０に表示される事前表示画像１００を拡大することが可能となる。なお、起動直後の印刷設定画面３０に表示される事前表示画像１００は拡大率が１倍となっており、最小サイズの表示となっている。
【００２６】
ページ情報４５は、後述する画像一覧ウインドウ５０に表示されるサムネイル画像５１のページ総数４５ｂと、レイアウトウインドウ４０に表示される画像イメージ４２に反映されているサムネイル画像５１が何ページ目のものであるかを示す表示ページ数４５ａとで構成されている。
【００２７】
図２に示すように、本実施形態では、画像一覧ウインドウ５０に表示されるサムネイル画像５１のページ総数４５ｂは「１１」であり、画像イメージ４２に反映されているサムネイル画像５１の表示ページ数４５ａは「６」であることがページ情報４５を見ると分かる。なお、起動直後の印刷設定画面３０においては、表示ページ数４５ａは「１」と表示され、レイアウトウインドウ４０には１ページ目の画像が画像イメージ４２として表示される。
【００２８】
ここで、ページ情報４５と隣接して表示されているページ戻りボタン４６とページ送りボタン４７を選択すると、レイアウトウインドウ４０に表示される画像イメージ４２が、一つ前のページの画像、または一つ次のページの画像に変更される。なお、表示ページ数４５ａの値が「１」であるときにページ戻りボタン４６を選択した場合、及び、表示ページ数４５ａとページ総数４５ｂとの値が一致しているときにページ送りボタン４７を選択した場合には、その選択は無効とされる。
【００２９】
画像一覧ウインドウ５０は、印刷設定画面３０において、レイアウトウインドウ４０の下側に表示されている。また、画像一覧ウインドウ５０の左右方向の大きさはレイアウトウインドウ４０の左右方向の大きさと一致している。画像一覧ウインドウ５０には、あらかじめ選択された複数の画像が、サムネイル画像５１として左右方向に並んで表示されている。表示されるサムネイル画像５１のうち選択された一つのサムネイル画像５１がレイアウトウインドウ４０に事前表示画像１００を構成する画像イメージ４２として表示される。また、画像一覧ウインドウ５０の下部に表示されるスライドバー５２を操作することで、あらかじめ選択されたサムネイル画像５１のうち、現在の画像一覧ウインドウ５０に表示されていないサムネイル画像５１（図２において８〜１１枚目の画像）を表示することができるようになっている。
【００３０】
また、画像一覧ウインドウ５０の左上に設けられた元画像ボタン５３、プレビューボタン５４を選択すると、表示されているサムネイル画像５１の表示形式が変更される。図２に示す画像一覧ウインドウ５０に表示されるサムネイル画像５１の表示形式は、元画像ボタン５３の選択時の表示形式であって、プレビューボタン５４を選択すると、サムネイル画像５１はレイアウトウインドウ４０に表示される事前表示画像１００と同様に用紙イメージ４１と画像イメージ４２とで表示される。
【００３１】
設定ウインドウ６０は、印刷設定画面３０において、レイアウトウインドウ４０及び画像一覧ウインドウ５０の右側に表示されている。設定ウインドウ６０には、上から下へプリンター設定カラム６１、レイアウト設定カラム６２、カラー設定カラム６３の順で計３つのカラムが上下方向に並んで表示されている。各設定カラム６１、６２、６３を選択すると、選択されたカラムが開いたり閉じたりする。各設定カラム６１、６２、６３を開くと、印刷装置１２において使用される用紙のサイズ、印刷品質の設定、印刷の向きなど様々な印刷設定項目が表示され、任意の印刷設定を選択することが可能となっている。
【００３２】
設定ウインドウ６０にて選択された印刷設定は、レイアウトウインドウ４０に表示される事前表示画像１００に反映される。なお、図２に示すように、起動直後の印刷設定画面３０における設定ウインドウ６０はプリンター設定カラム６１のみが開いており、レイアウト設定カラム６２とカラー設定カラム６３は閉じた状態で表示されている。
【００３３】
ツールバー７０は、印刷設定画面３０において、レイアウトウインドウ４０及び設定ウインドウ６０の上側に表示されている。ツールバー７０には、トリミングパネル７１、画像一覧パネル７２、設定パネル７３の計３つのパネル７１、７２、７３が表示されている。本実施形態の場合、トリミングパネル７１はツールバー７０における左側に表示され、画像一覧パネル７２と設定パネル７３はツールバー７０における右側に表示されている。
【００３４】
トリミングパネル７１を選択すると、図示しないトリミング画面が表示部１３に新たに表示される。トリミング画面では、レイアウトウインドウ４０に表示されている画像イメージ４２を任意のサイズにトリミング（切り取り）することが可能となっている。トリミング画面にてトリミングされた画像イメージ４２は、レイアウトウインドウ４０の事前表示画像１００に反映される。
【００３５】
画像一覧パネル７２を選択すると、画像一覧ウインドウ５０が表示状態から非表示状態に、または、非表示状態から表示状態に変更される（図３、図４参照）。同様に、ツールバー７０の右側において画像一覧パネル７２よりも右側に表示されている設定パネル７３を選択すると、設定ウインドウ６０の表示状態が変更される。
【００３６】
印刷ボタン８０を選択すると、画像表示制御装置１１から印刷装置１２に印刷設定画面３０で設定された印刷設定のデータと画像データとが送信され、事前表示画像１００が示すレイアウトのように印刷装置１２によって用紙に画像が印刷される。
【００３７】
次に、設定ウインドウ６０に表示されている各設定カラム６１、６２、６３について説明する。
図３に示すように、印刷設定画面３０において、画像一覧ウインドウ５０が非表示状態であるため、レイアウトウインドウ４０は、レイアウトウインドウ４０の上下方向の大きさと設定ウインドウ６０の上下方向の大きさとが一致した状態で大きく表示されている。
【００３８】
プリンター設定カラム６１には、上から下へプリンター選択リスト６１１、用紙種類選択リスト６１２、用紙サイズ選択リスト６１３、給紙方法選択リスト６１４、印刷品質選択リスト６１５の順で計５つのリストが上下方向に並んで表示されている。
【００３９】
プリンター選択リスト６１１には、画像表示制御装置１１と通信可能に接続されている少なくとも１つのプリンター（印刷装置１２）が表示される。そして、表示されるプリンターのうち一つを選択でき、選択されたプリンターが画像表示制御装置１１から送信されるデータを受信し、用紙に画像を印刷する。
【００４０】
用紙種類選択リスト６１２には、プリンター選択リスト６１１で選択されたプリンターにおいて使用可能な用紙の種類が少なくとも１つ表示される。例えば、光沢紙や普通紙などの用紙の種類がある。
【００４１】
用紙サイズ選択リスト６１３には、プリンター選択リスト６１１で選択されたプリンターにおいて使用可能な用紙のサイズが少なくとも１つ表示される。例えば、Ａ４サイズやはがきサイズなどの用紙のサイズがある。本実施形態の場合、用紙サイズはＡ４（２９７．０×２１０．０ｍｍ）が設定されている。
【００４２】
給紙方法選択リスト６１４には、プリンター選択リスト６１１で選択されたプリンターにおいて使用可能な給紙方法が少なくとも１つ表示される。例えば、用紙カセットや手差しトレイからなどの給紙方法がある。
【００４３】
印刷品質選択リスト６１５には、プリンター選択リスト６１１で選択されたプリンターにおいて使用可能な印刷品質設定が少なくとも１つ表示される。例えば、印刷速度は遅いが高画質に印刷される「きれい」や、印刷速度は速いが通常画質で印刷される「標準」などの印刷品質設定がある。
【００４４】
レイアウト設定カラム６２には、上から下へタイプ選択リスト６２１、印刷方向選択リスト６２２、センタリング選択リスト６２３の順で計３つのリストが表示されている。また、フチなし印刷選択ボックス６２４と、余白設定スライドバー６２５と、余白の色選択ボックス６２６と、縦横比固定ボックス６２７が表示されている。また、画像イメージ４２のうち被印刷領域４１１に対応するように設定する印刷領域４２１（第１領域）のサイズを表す画像サイズ情報６２８も表示されている。これらの印刷設定項目がレイアウト設定カラム６２内にて上下方向に並んで表示されている。
【００４５】
タイプ選択リスト６２１には、事前表示画像１００における様々なレイアウトタイプが表示される。例えば、図２〜図４に示すような標準レイアウトや、図示しないパノラマレイアウトなどのレイアウトタイプがある。
【００４６】
印刷方向選択リスト６２２には、「縦」、「横」といった用紙の印刷方向の向きが表示される。なお、本実施形態の場合、印刷方向の向きは「横」に設定されている。
センタリング選択リスト６２３は、後述する余白設定スライドバー６２５と連動しており、「なし」や「中央」などの用紙イメージ４１に対する画像イメージ４２の配置に関する設定が表示される。例えば、「中央」を選択すると、レイアウトウインドウ４０に表示される用紙イメージ４１の中心に画像イメージ４２の中心が位置するよう配置される。つまり、事前表示画像１００に設けられる余白の量は、上下での量が一致し、さらに左右での量が一致する。
【００４７】
フチなし印刷選択ボックス６２４は、これを選択するとフチあり印刷からフチなし印刷に、またはフチなし印刷からフチあり印刷に印刷設定を変更する。起動直後の印刷設定画面３０においては、フチあり印刷の設定となっており、これを選択すると図４に示すようにチェックボックスにチェックマークがつけられ、フチなし印刷の設定となる。また、フチなし印刷に変更されると事前表示画像１００がフチなし印刷時のものに変更される（図４参照）。
【００４８】
余白設定スライドバー６２５は、事前表示画像１００における上下左右それぞれの余白の量が表示されており、さらにそれぞれ個別に設定することができるようになっている。図３に示す事前表示画像１００では、上下に設けられる余白が１０．５ｍｍ、左右に設けられる余白が２２．５ｍｍとなっている。
【００４９】
余白の色選択ボックス６２６では、これを選択すると事前表示画像１００に設けられる余白部分の色を選択することができるようになっている。
縦横比固定ボックス６２７は、これを選択するとレイアウトウインドウ４０に表示されている画像イメージ４２の縦横比を固定する。つまり、縦横比固定ボックス６２７を選択した状態では、余白設定スライドバー６２５により設定される余白の量は画像イメージ４２の縦横比が保たれる量に制限される。
【００５０】
なお、フチなし印刷選択ボックス６２４を選択すると、レイアウト設定カラム６２において、タイプ選択リスト６２１と印刷方向選択リスト６２２以外の設定は操作することができなくなる。
【００５１】
カラー設定カラム６３を選択すると、カラータイプを設定するカラータイプ設定リスト（不図示）が表示され、カラー、モノクロ、グレースケールなどの用紙に印刷される画像のカラー設定をすることができるようになっている。
【００５２】
次に、フチなし印刷時における事前表示画像１００について説明する。
図４に示すように、レイアウトウインドウ４０には、フチなし印刷時の事前表示画像１００が表示されている。フチなし印刷時の事前表示画像１００は、図２、図３に示すフチなし印刷設定前の事前表示画像１００と比較して、画像イメージ４２が用紙イメージ４１の被印刷領域４１１の全領域を占めるように拡大されて表示されている。そのため、画像サイズ情報６２８はＡ４サイズと同量となる値を示している。すなわち、用紙イメージ４１の被印刷領域４１１と画像イメージ４２の印刷領域４２１との大きさが一致し、用紙イメージ４１に余白が設けられない状態で画像イメージ４２が表示されている。
【００５３】
また、事前表示画像１００において、画像イメージ４２は、用紙イメージ４１の被印刷領域４１１に対応するように設定する印刷領域４２１（第１領域）と、印刷領域４２１の外側であって且つ用紙イメージ４１の被印刷領域４１１から外側へはみ出た非印刷領域４２２とに区別される。さらに、非印刷領域４２２は、相対的に内側のはみ出し領域４２２ａ（第２領域）と、その外側の切り捨て領域４２２ｂ（第３領域）とに区別されて表示されている。因みに、印刷領域４２１（第１領域）及びはみ出し領域４２２ａ（第２領域）は、フチなし印刷時にインク等の噴射による印刷動作が行われる領域であり、切り捨て領域４２２ｂ（第３領域）はフチなし印刷時にインク等の噴射による印刷動作が行われない領域である。すなわち、用紙サイズのばらつき、用紙の搬送時の位置や姿勢によっては、フチなし印刷時に、印刷領域４２１（第１領域）は用紙上に印刷されない部分が生じる可能性があり、はみ出し領域４２２ａ（第２領域）は用紙上に印刷される部分が生じる可能性のある領域である。また、切り捨て領域４２２ｂ（第３領域）は、確実に印刷されない領域である。
【００５４】
事前表示画像１００において、印刷領域４２１とはみ出し領域４２２ａと切り捨て領域４２２ｂは、それぞれ異なる表示形式で表示されている。本実施形態においては、印刷領域４２１は透明度０％、はみ出し領域４２２ａは透明度５０％、切り捨て領域４２２ｂは透明度７０％と表示形式が異なっており、視覚的に各領域を区別できるようになっている。なお、透明度０％とは画像が一切透けていない状態で視覚的に見えるように表示されることであり、透明度１００％とは画像が完全に透けた状態で視覚的に見えないように表示されることである。
【００５５】
図４、図５に示すように、はみ出し領域４２２ａは、印刷領域４２１よりも一回り大きな領域となっており、印刷領域４２１を囲むように印刷領域４２１の外側に表示されている。次に、切り捨て領域４２２ｂは、はみ出し領域４２２ａの外側であって、事前表示画像１００内の上側と下側の領域にのみ表示されている。すなわち、本実施形態においては、切り捨て領域４２２ｂの左右方向における長さは、はみ出し領域４２２ａの左右方向における長さと一致している。
【００５６】
次に、図６を用いて、フチなし印刷選択ボックス６２４を選択した際に、事前表示画像１００を拡大処理する画像表示制御装置１１の作用について説明する。
図６（ａ）に示すように、フチなし印刷選択ボックス６２４が選択される前は、用紙に余白を設けて画像を印刷するフチあり印刷の設定となっている。このため、事前表示画像１００は用紙イメージ４１に余白を設けた状態で画像イメージ４２が用紙イメージ４１と重なって表示されている。つまり、被印刷領域４１１よりも印刷領域４２１が小さい状態で表示されている。なお、図６（ａ）に示す画像イメージ４２のサイズは２５２．０×１８８．９ｍｍとなっている（図３における画像サイズ情報６２８より）。
【００５７】
次に、図６（ｂ）に示すように、フチなし印刷選択ボックス６２４が選択されると、まず画像イメージ４２が用紙イメージ４１の被印刷領域４１１の全領域を占めるように拡大する（第１拡大段階）。具体的には、用紙イメージ４１の縦の大きさに対する画像イメージ４２の縦の大きさの比率、または用紙イメージ４１の横の大きさに対する画像イメージ４２の横の大きさの比率の何れか小さい方において、画像イメージ４２の大きさが用紙イメージ４１の大きさと一致するまで拡大する。本実施形態においては、用紙イメージ４１の横の大きさに対する画像イメージ４２の横の大きさの比率の方が小さいため、画像イメージ４２の横の大きさが用紙イメージ４１の横の大きさと一致するまで（２１０ｍｍとなるまで）画像イメージ４２が縦横比を保ったまま拡大する。
【００５８】
ここで、画像イメージ４２の横の大きさは用紙イメージ４１の横の大きさと一致しているが、縦の大きさは縦横比が異なるため一致しない。したがって、画像イメージ４２の上側及び下側となる領域は用紙イメージ４１の被印刷領域４１１からはみ出して表示される。事前表示画像１００において、第１拡大段階により被印刷領域４１１からはみ出した部分は切り捨て領域４２２ｂと設定され、印刷装置１２によるインクの噴射などの印刷動作が行われない領域となる。
【００５９】
次に、図６（ｃ）に示すように、第１拡大段階の後、用紙イメージ４１の被印刷領域４１１に対して画像イメージ４２をさらに拡大する。これは、用紙のサイズにばらつき（精度）があったり、用紙が印刷装置１２内において傾いた状態で搬送されたりして印刷されることにより、用紙のフチの部分に余白を生じさせる虞を低減するためである。
【００６０】
そのため、画像イメージ４２を用紙イメージ４１の被印刷領域４１１に対して一回り大きくなるようさらに拡大する（第２拡大段階）。第２拡大段階では、画像イメージ４２を画像イメージ４２の縦横比を保ったまま用紙イメージ４１を囲うようにして拡大する。そのため、第１拡大段階と異なり、画像イメージ４２の上側及び下側となる領域のみならず、右側及び左側となる領域も、用紙イメージ４１の被印刷領域４１１から外側へはみ出して表示される。事前表示画像１００において、第２拡大段階により用紙イメージ４１の被印刷領域４１１からはみ出した領域は、はみ出し領域４２２ａとして設定され、はみ出し領域４２２ａは切り捨て領域４２２ｂと異なり印刷装置１２による印刷動作は行われる領域となる。
【００６１】
上述したように、媒体として用いる用紙のサイズのばらつきや、用紙を搬送する際の用紙の傾きによっては、画像イメージ４２の全領域のうち、はみ出し領域４２２ａに表示される部分はインク噴射などの印刷動作が行われるため、用紙に対して印刷される場合がある。例えば、図６（ｃ）に示す事前表示画像１００のように、切り捨て領域４２２ｂからはみ出し領域４２２ａにかけての領域部分に飛行機が表示されている場合、実際に印刷するとはみ出し領域４２２ａに表示されている飛行機の一部が用紙に印刷されることがある。もし、飛行機を写真や用紙に印刷したくないとしたとき、印刷設定画面３０にて事前表示画像１００を編集し、飛行機を切り捨て領域４２２ｂに収めることで確実に用紙に印刷させないようにすることが可能となる。
【００６２】
なお、本実施形態では切り捨て領域４２２ｂは画像イメージ４２の上側及び下側のフチとなる領域であったが、用紙と画像の縦横比によっては画像イメージ４２の左側及び右側のフチとなる領域に設定される場合もある。
【００６３】
上記実施形態によれば、以下のような効果を得ることができる。
（１）事前表示画像１００において用紙イメージ４１の被印刷領域４１１の外側に位置する領域を印刷動作が行われるはみ出し領域４２２ａと印刷動作が行われない切り捨て領域４２２ｂとに分けて表示している。そのため、事前表示画像１００の画像領域のうちどの領域まで印刷動作が行われ、どの領域から印刷動作が行われないのかを知ることができる。したがって、用紙に余白がない状態で画像を印刷するフチなし印刷での印刷結果を印刷前における事前表示画像１００で的確に把握することができる。
【００６４】
（２）事前表示画像１００において、印刷領域４２１とはみ出し領域４２２ａと切り捨て領域４２２ｂとを見やすく区別して表示することができる。
（３）事前表示画像１００において、印刷装置１２により印刷動作が行われない切り捨て領域４２２ｂは印刷動作が行われる印刷領域４２１及びはみ出し領域４２２ａよりも透明度が高く表示され、視覚的に見えづらくなっている。そのため、印刷動作が行われない領域よりも印刷動作が行われる領域を見やすく表示することができる。
【００６５】
なお、上記実施形態は以下のように変更してもよい。
・上記実施形態において、はみ出し領域４２２ａは印刷領域４２１よりも透明度が高い表示形式で表示される必要はない。はみ出し領域４２２ａは印刷領域４２１よりも透明度が低い表示形式で表示されていてもよい。
【００６６】
・上記実施形態において、切り捨て領域４２２ｂは、透明度を変更して表示するのではなく色をつけて表示されていてもよいし、塗りつぶされていてもよい。例えば、レイアウトウインドウ４０の背景と同色で塗りつぶされていれば、切り捨て領域４２２ｂは背景と同色に表示されるため、印刷装置１２により印刷動作が行われる印刷領域４２１やはみ出し領域４２２ａとの区別を注視することができる。
【００６７】
・上記実施形態において、印刷領域４２１とはみ出し領域４２２ａと切り捨て領域４２２ｂは、各領域の境界に点線などを表示することで区画分けされていてもよい。
・上記実施形態において、第１拡大段階と第２拡大段階は同時に行われてもよい。また、フチなし印刷時における画像イメージ４２の拡大処理は上記実施形態のものに限らない。
【００６８】
・上記実施形態において、印刷結果事前表示プログラムの実行により表示部１３に表示される印刷設定画面３０は、図２〜図４に示すような態様に限らない。例えば、画像一覧ウインドウ５０やトリミングパネル７１などが無くてもよいし、別の機能を持つボタンが設けられていてもよい。また、印刷設定画面３０に表示されるレイアウトウインドウ４０や設定ウインドウ６０の位置及び形態は上記実施形態のものに限らない。
【符号の説明】
【００６９】
１１…画像表示制御装置、１２…印刷装置、１３…表示部、２０…ＰＣ（制御部）、１００…事前表示画像、４１１…被印刷領域、４２１…印刷領域（第１領域）、４２２ａ…はみ出し領域（第２領域）、４２２ｂ…切り捨て領域（第３領域）。
【図１】
0006424569.tif 000002
【図２】
0006424569.tif 000003
【図３】
0006424569.tif 000004
【図４】
0006424569.tif 000005
【図５】
0006424569.tif 000006
【図６】
0006424569.tif 000007